(57)【要約】【課題】  アンテナ２を用いて識別体５との間で非接触で通信するリーダライタ装置２、３で、良好な通信状態を実現する。【解決手段】  アンテナ２は、同一或いは略同一な形状を有する複数のアンテナ要素（図示の例では、三角形）が連接された形状に導線を形成して構成されている。アンテナ要素は、連接方向と垂直な軸に対して非対称な形状を有し、連接方向とは非平行な線を組み合わせて構成されている。アンテナ２は長方形の面（棚板１）に設けられ、複数のアンテナ要素は長方形の長手方向に連接され、識別体５に備えられたループアンテナの面が前記長方形の長手方向と垂直或いは略垂直となるように配置される。【選択図】  図１
2006319563.tif 000002
【特許請求の範囲】
【請求項１】
アンテナを用いて識別体との間で非接触で通信するリーダライタ装置において、
前記アンテナは、同一或いは略同一な形状を有する複数のアンテナ要素が連接された形状に導線を形成して構成されており、
前記アンテナ要素は、前記連接方向と垂直な軸に対して非対称な形状を有する、
ことを特徴とするリーダライタ装置。
【請求項２】
請求項１に記載のリーダライタ装置において、
前記アンテナ要素は、前記連接方向とは非平行な線を組み合わせて構成された、
ことを特徴とするリーダライタ装置。
【請求項３】
請求項１又は請求項２に記載のリーダライタ装置において、
前記アンテナは、長方形の面に設けられ、
前記複数のアンテナ要素は、前記長方形の長手方向に連接され、
前記識別体に備えられたループアンテナの面が前記長方形の長手方向と垂直或いは略垂直となるように配置される、
ことを特徴とするリーダライタ装置。
【発明の詳細な説明】
【技術分野】
【０００１】
本発明は、アンテナを備えて、ＩＣタグなどの識別体との間で通信するリーダライタ装置に関し、特に、良好な通信状態を実現するアンテナを備えたリーダライタ装置に関する。
【背景技術】
【０００２】
例えば、ＩＣタグを用いた非接触型リーダライタシステムは、一般にＲＦ−ＩＤシステムと呼ばれており、交通システム、物流管理システム、物品管理システム等に実用化されている。
このようなシステムは、主要な構成として、ＩＣチップやループアンテナを備えたＩＣタグと、ループアンテナを備えてＩＣタグとの無線通信を行うリーダライタ装置を有する。リーダライタ装置では、そのループアンテナにより、ＩＣタグ内のＩＣチップを駆動するための電力と質問データを常時又は間欠的に送信し、この電力と質問データを受信することができる範囲内にあるＩＣタグからの応答データを得る。
【０００３】
ここでは、ＲＦ−ＩＤシステムの一例として、１３．５６ＭＨｚの周波数帯を用いた電磁誘導型のリーダライタ装置について説明する。
電源を内蔵しない非接触型のＩＣタグが電磁誘導型のリーダライタ装置と無線通信するためには、リーダライタ装置に含まれる送信アンテナにより発生する磁界が、ＩＣタグ内部の回路を駆動するための起電力を発生することができる空間的な距離範囲内にあり、且つＩＣタグに含まれるループアンテナのループ面を鎖交する方向性を持つ位置関係であることが必要である。
【０００４】
しかしながら、リーダライタ装置のループアンテナに対して、ＩＣタグを駆動するために十分な距離内に、任意の一様な平面的或いは空間的な読取範囲を仮定した場合、ＩＣタグのタグ面（ループアンテナの面）を任意の方向に固定すると、リーダライタ装置のループアンテナは、このＩＣタグに対して磁界が無くなる点となるＮｕｌｌ点（ヌル点）を１箇所以上有する。更に、このＮｕｌｌ点が連続して線状或いは面状或いは立体的な通信不可範囲を形成する。
図６には、リーダライタ装置のループアンテナ４１、当該ループアンテナ４１から発生する磁界の方向、ＩＣタグ４２の面方向（ＩＣタグのループアンテナの面方向）、及びこのときにおけるＮｕｌｌ面（Ｎｕｌｌ点の連続）の一例を示してある。
【０００５】
具体的に、複数段にわたる棚のそれぞれにループアンテナを有する物品管理システムの一例として、図書館等で使用される書籍管理システムを説明する。
書籍にはＩＣタグが貼付されており、このＩＣタグのＩＣチップには書籍の管理データが保存される。書籍の管理データとしては、例えば、タイトルや筆者やカテゴリ等の書籍情報や、貸出回数や貸出期間等の貸出履歴情報などが用いられる。
書籍が収納される書籍棚には、書籍に貼付されたＩＣタグと通信するリーダライタ装置側のアンテナが各棚板に設置される。ＩＣタグ及びリーダライタ装置のアンテナはそれぞれ指向性を有しており、ＩＣタグのアンテナと棚板に設置されたアンテナとは互いの指向方向に適した配置とされる。利用者は、このような書籍管理システムを用いて、常時若しくは必要時において、特定の棚板に陳列されている書籍の検索や、特定の書籍の位置検索等、各種のサービスを受けることができる。
【０００６】
書棚に収納されたリーダライタ装置のアンテナ（棚アンテナ）は、ＩＣタグが貼付された１冊以上の書籍が棚板上の任意の位置に対してＩＣタグと棚アンテナの互いの指向方向に適している限り、一様に読取可能となる読取範囲を有するようにする。
図７には、書籍管理システムの構成例を示してあり、具体的には、書棚５１と、その棚板５２と、棚板５２に収容されたリーダライタ装置のループアンテナ（棚アンテナ）５３と、ＩＣタグ５５を備えた書籍５４を示してある。また、リーダライタ装置のループアンテナ５３から発生する磁界の方向と、読取範囲（ループアンテナ５３の面内に対応した範囲）を示してある。
ＩＣタグ５５を書籍５４の表紙に貼付する場合には、一般に書籍５４が棚板５２に陳列された状態におけるＩＣタグ５５を鎖交する磁界方向は、棚板５２のヨコ方向となる。
【０００７】
ここで、従来の棚アンテナのアンテナパターンである四角形のループでは、所望とする棚板ヨコ方向の磁界を発生する範囲は、棚板側面の極限られた部分となり、棚アンテナのアンテナパターンの内側に至っては読み取りができず、棚板上に一様な読取範囲を得ることはできない。
図８には、一般的な棚アンテナとして用いられるループアンテナ５３、ＩＣタグ５５の面方向、及びこのときにおける当該ループアンテナ５３による読取範囲と読取不可範囲の一例を示してある。
なお、リーダライタ装置の出力を上げて読取範囲を拡大しようとする場合には、上下の棚アンテナ若しくは周囲において隣接（近接）して運用しているリーダライタ装置に対して通信障害を与えてしまう可能性がある。
また、複数のＩＣタグを棚アンテナに配して一括して読み取りしようとする場合には、全てのＩＣタグの情報を読み取るに至る磁界の強さや方向性を棚板上に一様に形成することは困難である。
【０００８】
【特許文献１】特開２００４−１４０５１３号公報
【発明の開示】
【発明が解決しようとする課題】
【０００９】
上述のように、従来の書籍管理システムなどでは、リーダライタ装置のアンテナによりＩＣタグとの間で良好な通信状態を実現することが困難であるといった問題があった。
このため、例えば、図９に示されるように、ＩＣタグ５５の向きを棚板５２のヨコ方向に固定した場合に、棚板５２の全面を一様な読取範囲とするように、棚板５２の全面に一様な方向性と強さを持つ磁界が形成されるようにして、所望の読取範囲を得ることが望まれる。また、必ずしも図９に示されるような磁界でなくとも、棚板５２の全面に渡って良好な読取範囲を形成することが可能なものが望まれる。
【００１０】
また、例えば、図１０（ａ）、（ｂ）にループアンテナ５３により発生する磁界の強度と方向の一例が示されるように、ループアンテナ５３が発生する磁界の強さは、アンテナパターンに接近するに従って大きくなるため、棚板全面を一様に張り巡らすアンテナパターンとすることが望まれる。
なお、図１１に示されるように、従来のループ形状の内側に折り返しを含んだパターンを有するアンテナ６１を用いる場合には、折り返しの山と谷の部分でＮｕｌｌ面が形成されることから、更に良好な形状を有するアンテナの開発が望まれる。
【００１１】
本発明は、このような従来の事情に鑑み為されたもので、アンテナを備えて、ＩＣタグなどの識別体との間で通信する構成において、良好な通信状態を実現することができるリーダライタ装置を提供することを目的とする。
【課題を解決するための手段】
【００１２】
上記目的を達成するため、本発明に係るリーダライタ装置では、次のようなアンテナを用いて、識別体との間で非接触で通信する。
すなわち、前記アンテナは、同一或いは略同一な形状を有する複数のアンテナ要素が連接された形状に導線を形成して構成されている。また、前記アンテナ要素は、前記連接方向と垂直な軸に対して、非対称な形状を有する。
従って、アンテナにより発生する磁界や、その磁界において形成されるＮｕｌｌ点或いはＮｕｌｌ面に関して、前記非対象性により、良好な通信状態を実現することができる。
【００１３】
ここで、識別体としては、例えば、ＩＣタグや、ＩＣカードなど、種々なものが用いられてもよい。また、識別体に備えられるアンテナとしては、例えば、ループアンテナが用いられるが、実用上で有効であれば、他の種々な形状のものが用いられてもよい。
また、リーダライタ装置としては、例えば、書棚の棚板にアンテナを設けて書籍に付された識別体と通信するものや、或いは、他の物品に付された識別体と通信するものや、或いは、人により携帯されるＩＣカードのような識別体と通信するものなど、種々なものが用いられてもよい。
また、非接触での通信としては、例えば、電磁誘導を用いた無線通信が用いられる。
また、アンテナ要素の形状としては、種々な形状が用いられてもよい。
また、連接される複数のアンテナ要素の数としては、種々な数が用いられてもよい。
【００１４】
本発明に係るリーダライタ装置では、一構成例として、次のような構成とした。
すなわち、前記アンテナ要素は、前記連接方向とは非平行な線（つまり、平行ではない線）を組み合わせて構成された。
従って、連接方向と平行な線を用いずにアンテナ要素が構成されるため、連接方向と垂直な方向の磁界が発生しないアンテナを実現することができる。
なお、実際に導線でアンテナを形成する場合には、その一部や折り曲げ部分などで連接方向と平行な線が生じることもあり得ると考えられるが、このような部分が実際上で多少生じても、本発明は包含する。
【００１５】
本発明に係るリーダライタ装置では、一構成例として、次のような構成とした。
すなわち、前記アンテナは、長方形の面に設けられる。また、前記複数のアンテナ要素は、前記長方形の長手方向に連接される。また、前記識別体に備えられたループアンテナの面が前記長方形の長手方向と垂直或いは略垂直となるように配置される。
従って、長方形の長手方向に複数のアンテナ要素が連接された形状を有するアンテナに対して、識別体のループアンテナの面が当該長手方向と垂直に配置される場合に、リーダライタ装置のアンテナと識別体のループアンテナとの間で良好な通信状態を実現することができる。
【００１６】
以下で、更に、リーダライタ装置のアンテナの構成例を示す。
一構成例として、隣接するアンテナ要素の接続点のところにおいて、導線を撚った形状を有する。
他の一構成例として、隣接するアンテナ要素の接続点のところにおいて、導線を撚らない形状を有する。
一構成例として、アンテナ要素の形状は、連接方向と垂直な方向の線を含む。
一構成例として、アンテナ要素の形状は、連接方向と垂直な方向の線と、斜めの方向（連接方向ではなく且つ連接方向と垂直な方向でもない方向）の線から構成される。
【００１７】
一構成例として、アンテナ要素は、三角形或いは略三角形の形状を有する。例えば、アンテナ要素は、二等辺三角形或いは略二等辺三角形の形状を有する。
他の構成例として、アンテナ要素は、扇形、五角形、半円、半楕円、或いはいずれかに似た形状を有する。
他の構成例として、アンテナ要素は、同一の形状を有する２つの山形を連接方向とは垂直な方向に間隔を開けて対向させ且つ対向する２つの山形の頂点を連接方向でずらして配置したものから構成される。
【発明の効果】
【００１８】
以上説明したように、本発明に係るリーダライタ装置によると、識別体との間で非接触で通信するためのアンテナの形状を工夫することで、例えば、アンテナにより発生する磁界の強度や、その磁界において形成されるＮｕｌｌ点或いはＮｕｌｌ面の向きに関して、識別体に備えられるアンテナとの間で良好な通信状態を実現することができる。
【発明を実施するための最良の形態】
【００１９】
本発明に係る実施例を図面を参照して説明する。
図１には、本例の書籍管理システムの一例を示してあり、主に、書棚の棚板１に収納されたリーダライタ装置のアンテナ２の形状例を示してある。
具体的には、図１には、書棚を構成する棚板１と、棚板１に収納されたリーダライタ装置のアンテナ２と、リーダライタ装置の制御部３と、書籍４と、書籍４に収納されたＩＣタグ５を示してある。
なお、リーダライタ装置のアンテナ２の形状やその磁界や読取範囲を除いて、立体的な外観例は、概略的には、図７に示されるものと同様となる。
【００２０】
本例では、リーダライタ装置は、アンテナ２と制御部３とを接続して構成されている。
制御部３は、アンテナ２を用いて非接触でＩＣタグ５に対して電力や質問データを送信する機能や、アンテナ２を用いて非接触でＩＣタグ５から送信された応答データを受信する機能や、各種のデータをメモリに記憶する機能などを有している。
また、本例では、書籍４の表紙（の表側或いは裏側）に平面状のＩＣタグ５が貼られており、当該表紙の面にＩＣタグ５のループアンテナが収められている。
ＩＣタグ５は、リーダライタ装置のアンテナ２から非接触で送信される電力や質問データを受信して当該質問データに対する応答データを非接触で送信するためのループアンテナや、識別情報を記憶するメモリや、通信の制御等を行う制御部などを有している。
【００２１】
本例では、書籍４が書棚の棚板１の上に置かれる方向などの配置はおおよそ決まっており、すなわち、通常は、図１に示されるように、書籍１が棚板１の左右の面と平行に出し入れされることから、ＩＣタグ５の面であってそのループアンテナの面は、棚板１の面であってリーダライタ装置のアンテナ２の面と直交或いは略直交する関係となる。
書籍４が棚板１の上に収納された状態で、リーダライタ装置のアンテナ２から電力が無線送信されると、当該書籍４が有するＩＣタグ５の電源がオンとなり、リーダライタ装置のアンテナ２から質問データが無線送信されると、当該ＩＣタグ５がこれを受信して応答データを無線送信する。リーダライタ装置のアンテナ２はこの応答データを受信して、制御部３により処理する。
【００２２】
例えば、ＩＣタグ５は、そのメモリに記憶された識別情報を応答データに含めてリーダライタ装置へ送信する。リーダライタ装置は、この応答データに含まれる識別情報に基づいて、ＩＣタグ５が貼られた書籍４の情報を取得する。
識別情報としては、例えば、タイトルや筆者やカテゴリ等の書籍情報や、貸出回数や貸出期間等の貸出履歴情報などがそのまま用いられてもよく、或いは、識別情報としては容量の少ない番号情報などが用いられて、識別情報と前記した書籍情報や貸出履歴情報などとの対応が外部のデータベースなどに記憶されていてもよく、この場合、例えば、リーダライタ装置の制御部３は、ＩＣタグ５から読み取った識別情報を用いて外部のデータベースなどに対して当該識別情報に対応した書籍情報などを照会して、当該書籍情報などを取得する。
【００２３】
次に、本例のリーダライタ装置のアンテナ２の形状について説明する。
図１に示されるように、本例のアンテナ２では、アンテナパターン上に撚り施して、長方形の単一平面（本例では、棚板１の平面）上に複数の同一形状のループが連続して形成されている。この形状では、撚りを組み込んで複数のループが連続しており、ＩＣタグ５のループ面に対して発生する磁界が直交若しくは略直交となる向きが支配的となるように、所望の磁界方向（本例では、図１において左右方向）に対して平行となる箇所が一切排除されたアンテナパターンを形成している。つまり、ＩＣタグ５の読取方向と磁界が平行するアンテナパターンが全く無い。
【００２４】
本例のようなアンテナ２の構成では、例えば、従来のアンテナパターンと比べて、通信の障害となるＮｕｌｌ面の数を実質的に減らすことができ、また、形成される合成磁界により所望の磁界範囲を広く確保することができる。更に、アンテナ２が発生する磁界のＮｕｌｌ点を、配置されるＩＣタグ５の方向性から見て、比較的回避し易い位置状態で読取範囲内に分布させることができる。
図２（ａ）には、本例のアンテナ２に流される電流（往路、復路）の向きや、本例のアンテナ２により発生する磁界の向きや、形成されるＮｕｌｌ面の一例を示してある。また、図２（ｂ）には、発生する磁界が合成された結果（合成磁界）の一例を示してある。
このように、本例のアンテナ２では、（それぞれの部分において）ほぼ一様に同一方向の磁界を発生させることができ、例えば、ＩＣタグ５の向きが固定されてアンテナ読取面が確保されるような場合に有効である。
【００２５】
次に、図３〜図５を参照して、図１に示されるアンテナ２の形状も含めて、上記と同様な効果を得ることが可能なリーダライタ装置のアンテナの形状の例を示す。
それぞれの例では、長方形の棚板１１の長手方向（図中における左右方向）に沿って、アンテナを構成する連続した同一形状のループが並んでおり、また、ＩＣタグ１２の向きや、アンテナに流れる電流の向き（矢印の向き）や、アンテナにより発生する磁界のＮｕｌｌ面（点線）の例を示してある。
なお、アンテナを構成する連続した同一形状のループの個数や、このような同一形状のループを並べる方向（図中では、右から左への方向、或いは、左から右への方向）や、アンテナに流す電流の向きについては、任意の態様が用いられてもよい。
【００２６】
図３（ａ）には、図１に示されるのと同様な形状を有するアンテナ１３の形状例を示してある。
本例のアンテナ１３では、同一或いは略同一な三角形を連続して並べた形状に導線が形成されている。隣り合う三角形においては、電流の向きにより示されるように、導線同士が交差するように折り曲げられている（撚られている）。
それぞれの三角形は、棚板１１の左右の面やＩＣタグ１２の面と平行な１本の辺（線）ａ１と、その辺ａ１の両端のそれぞれから斜め方向に延ばされて頂点で交差する２本の辺（線）ａ２、ａ３から構成される。全体としては、辺ａ１と同様な複数の辺が棚板１１上に平行に配置されており、これらそれぞれの辺の両端から隣の辺の中間点へ延びるように辺ａ２、ａ３と同様な２本の辺が設けられている。
本例のアンテナ１３では、斜めの辺ａ２、ａ３により、Ｎｕｌｌ点の部分をＩＣタグ１２の向きに対して斜めにしており、また、磁界にも寄与している。
また、３本の辺ａ１、ａ２、ａ３から構成される三角形は、本例では、二等辺三角形である。図中に示される角度θとしては、例えば、広すぎず狭すぎない程度が好ましく、４５度くらいが好ましい。
【００２７】
図３（ｂ）には、図３（ａ）に示されるのと同様な形状において、隣り合う三角形の接続点で導線を交差させない（撚らない）形状を有するアンテナ１４の形状例を示してある。
本例のアンテナ１４では、電流の向きにより示されるように、それぞれの三角形の頂点（辺ａ２と辺ａ３との交点のところ）において、図３（ａ）に示される場合とは反対の方向に導線が折り曲げられている。
なお、図３（ａ）に示されるように導線を撚った構成としても、図３（ｂ）に示されるように導線を撚らない構成としても、ＩＣタグ１２の向きに対して平行ではなく斜めの向きのＮｕｌｌ面を形成することで通信状態を良好にすることができるが、通常、図３（ａ）に示されるように導線を撚った構成の方が、磁界が強め合う効果や、Ｎｕｌｌ面が少なくなって磁界の強度が強くなる効果が得られて、好ましい。
【００２８】
図４（ａ）には、図３（ａ）に示されるような導線を撚ったアンテナの形状において、三角形の代わりに、三角形を構成するそれぞれの辺ａ１、ａ２、ａ３が一方向（本例では、左の方向）へ膨らむように湾曲した形状が用いられたアンテナ２１の形状例を示してある。
図４（ｂ）には、図４（ａ）に示されるのと同様な形状において、図３（ｂ）に示されるのと同様に導線を撚らない形状を有するアンテナ２２の形状例を示してある。
これらのアンテナ２１、２２においても、ＩＣタグ１２の向きに対して斜めのＮｕｌｌ面（点線）とすることができ、また、導線を撚ったアンテナ２１の方がより好ましい。
【００２９】
図４（ｃ）には、図３（ａ）に示されるような導線を撚ったアンテナの形状において、三角形の代わりに、三角形を構成する１本の辺ａ１が一方向（本例では、右の方向）へ膨らむように湾曲した形状（例えば、扇形或いはそれに似た形状）が用いられたアンテナ２３の形状例を示してある。
図４（ｄ）には、図４（ｃ）に示されるのと同様な形状において、図３（ｂ）に示されるのと同様に導線を撚らない形状を有するアンテナ２４の形状例を示してある。
これらのアンテナ２３、２４においても、ＩＣタグ１２の向きに対して斜めのＮｕｌｌ面（点線）とすることができ、また、導線を撚ったアンテナ２３の方がより好ましい。
【００３０】
図４（ｅ）には、図３（ａ）に示されるような導線を撚ったアンテナの形状において、三角形の代わりに、五角形の形状が用いられたアンテナ２５の形状例を示してある。
図４（ｆ）には、図４（ｅ）に示されるのと同様な形状において、図３（ｂ）に示されるのと同様に導線を撚らない形状を有するアンテナ２６の形状例を示してある。
これらのアンテナ２５、２６においても、ＩＣタグ１２の向きに対して斜めのＮｕｌｌ面（点線）とすることができ、また、導線を撚ったアンテナ２５の方がより好ましい。
【００３１】
図５（ａ）には、図３（ａ）に示されるような導線を撚ったアンテナの形状において、三角形の代わりに、半円或いは半楕円の形状が用いられたアンテナ３１の形状例を示してある。
図５（ｂ）には、図５（ａ）に示されるのと同様な形状において、図３（ｂ）に示されるのと同様に導線を撚らない形状を有するアンテナ３２の形状例を示してある。
これらのアンテナ３１、３２においても、ＩＣタグ１２の向きに対して斜めのＮｕｌｌ面（点線）とすることができ、また、導線を撚ったアンテナ３１の方がより好ましい。
【００３２】
図５（ｃ）には、図３（ａ）に示されるような導線を撚ったアンテナの形状において、三角形の代わりに、三角形を構成する２本の辺ａ２、ａ３が内側へ膨らむように湾曲した形状が用いられたアンテナ３３の形状例を示してある。
図５（ｄ）には、図５（ｃ）に示されるのと同様な形状において、図３（ｂ）に示されるのと同様に導線を撚らない形状を有するアンテナ３４の形状例を示してある。
これらのアンテナ３３、３４においても、ＩＣタグ１２の向きに対して斜めのＮｕｌｌ面（点線）とすることができ、また、導線を撚ったアンテナ３３の方がより好ましい。
【００３３】
図５（ｅ）には、２つの辺ｂ１、ｂ２から成る山形と同一の形状を有する複数の山形を並べたものと、これと同一の形状を有するが棚板１１の長手方向とは垂直な方向（図中における上下方向）に間隔があけられていて且つ棚板１１の長手方向（図中における左右方向）に少しずらしたものとを組み合わせた形状に導線を形成したアンテナ３５の形状例を示してある。
本例のアンテナ３５では、棚板１１の短い辺の方向（図中における上下方向）で、辺ｂ１、ｂ２から成る一方の山形と辺ｃ１、ｃ２から成る他方の山形とが対向しており、これら両方の山形の頂点が長手方向でずれている。
このようなアンテナ３５においても、ＩＣタグ１２の向きに対して斜めのＮｕｌｌ面（点線）とすることができる。
【００３４】
以上のように、本例の書籍管理システムに設けられたリーダライタ装置では、複数の同一形状のループを並べてアンテナが構成されており、それぞれの同一形状のループはＩＣタグの平面に対してその垂直方向（図１〜図５において、左右方向）で非対称となるように形成されている。本例では、連接方向とは垂直な軸（本例では、棚板の面上の軸）に対して非対称な形状を有したアンテナ要素（本例では、同一形状のループ）を複数連接したアンテナを、ＩＣタグの平面に対してＮｕｌｌ面が平行になることを回避する形状としている。
【００３５】
このようなアンテナの構成により、本例の書籍管理システムでは、誘導（電磁誘導）式読み書き通信設備であるリーダライタ装置と、リーダライタ装置からの信号により起動されるＩＣタグを有した構成において、例えば、ＩＣタグのループアンテナとリーダライタ装置のアンテナとが直交方向或いは略直交方向の位置関係とされて且つＩＣタグの面が１つの方向に固定されて配置されるような場合に、リーダライタ装置から送信される誘導電波による信号をＩＣタグにより所望の方位で受信して応答送信することが可能な平面的或いは空間的な範囲を拡張することが可能となる。
【００３６】
従って、本例の書籍管理システムのリーダライタ装置では、棚板ヨコ方向を磁界の方向として棚板面を読取範囲とするような棚アンテナを用いて、ほぼ一様にヨコ方向の磁界を発生し、タテ方向に連続したＮｕｌｌ平面を持たないようにすることにより、リーダライタ装置とＩＣタグとの送受信について、送受信エリアの範囲の拡張や、複数のＩＣタグによる同時通信における拡張を実現することができる。
ここで、本例では、書籍管理システムを例としたが、例えば、書籍以外の物品にＩＣタグを付加する物品管理システムなどに適用することも可能である。
また、本例では、ＩＣタグを例としたが、例えば、ＩＣカードなどを用いることも可能である。
【００３７】
ここで、本発明に係るリーダライタ装置や識別体や識別体管理システムなどの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るリーダライタ装置や識別体や識別体管理システムなどにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００３８】
【図１】本発明の一実施例に係るリーダライタ装置のアンテナの構成例を示す図である。
【図２】アンテナで発生する磁界の一例を示す図である。
【図３】アンテナの形状の例を示す図である。
【図４】アンテナの形状の例を示す図である。
【図５】アンテナの形状の例を示す図である。
【図６】リーダライタ装置のループアンテナにより形成されるＮｕｌｌ面の一例を示す図である。
【図７】書籍管理システムの一例を示す図である。
【図８】ループアンテナの読取範囲及び読取不可範囲の一例を示す図である。
【図９】所望の読取範囲を実現するための磁界の一例を示す図である。
【図１０】ループアンテナで発生する磁界の強さの一例を示す図である。
【図１１】リーダライタ装置のアンテナにより形成されるＮｕｌｌ面の一例を示す図である。
【符号の説明】
【００３９】
１、１１、５２・・棚板、  ２、１３、１４、２１〜２６、３１〜３５、６１・・アンテナ、  ３・・制御部、  ４、５４・・書籍、  ５、１２、４２、５５・・ＩＣタグ、  ４１、５３・・ループアンテナ、  ５１・・書棚、
【図１】
2006319563.tif 000003
【図２】
2006319563.tif 000004
【図３】
2006319563.tif 000005
【図４】
2006319563.tif 000006
【図５】
2006319563.tif 000007
【図６】
2006319563.tif 000008
【図７】
2006319563.tif 000009
【図８】
2006319563.tif 000010
【図９】
2006319563.tif 000011
【図１０】
2006319563.tif 000012
【図１１】
2006319563.tif 000013